(57)【要約】【課題】データの送信に用いた無線通信を切断した後であっても、受信側でのデータの処理状況を送信側で把握する。【解決手段】端末装置２０と印刷装置１０との間に、Ｗｉ−Ｆｉ  Ｄｉｒｅｃｔによる１対１の接続を確立し、端末装置２０から印刷装置１０に、Ｗｉ−Ｆｉを用いて印刷データを含むジョブデータ６０を送信した後、Ｗｉ−Ｆｉ  Ｄｉｒｅｃｔによる接続を解除する。ジョブデータ６０を受信した印刷装置１０は、印刷データの印刷を実行し、その印刷結果（出力成功／出力失敗）を含むステータスデータ７０を、ＢＬＥを用いることで、端末装置２０との間で１対１の接続を確立せずにブロードキャスト送信する。【選択図】図９
2018067778.tif 000002
【特許請求の範囲】
【請求項１】
情報処理装置との間に第１の無線通信による１対１の接続を確立し、処理の対象となる処理データを含む送信データを送信した後、当該第１の無線通信の接続を解除する送信手段と、
前記第１の無線通信の接続が解除された後、前記情報処理装置による前記処理データの処理に関連する処理情報を含む受信データを、当該情報処理装置との間で１対１で接続されない第２の無線通信にて受信する受信手段と
を含む端末装置。
【請求項２】
前記送信手段は、前記情報処理装置との間に前記第１の無線通信の接続を確立する前に、既に他の情報処理装置との間に確立されていた当該第１の無線通信の接続を解除し、当該情報処理装置との間に確立された当該第１の無線通信の接続を解除した後に、当該情報処理装置との間に当該第１の無線通信の接続を再度確立すること
を特徴とする請求項１記載の端末装置。
【請求項３】
前記第１の無線通信および前記第２の無線通信とは異なる第３の無線通信を行う送受信手段をさらに含み、
前記送信手段は、前記送受信手段が前記第３の無線通信による、前記第１の無線通信の接続を確立するためのデータの通信が完了した後に、前記第１の無線通信の接続を確立すること
を特徴とする請求項２記載の端末装置。
【請求項４】
前記送信手段は、前記処理データと当該処理データに付与された送信識別子とを含む前記送信データを送信し、
前記受信手段は、前記処理情報と受信識別子とを含む前記受信データを受信し、
前記送信識別子と前記受信識別子とが一致した前記処理情報を表示する表示手段をさらに含むこと
を特徴とする請求項１記載の端末装置。
【請求項５】
前記情報処理装置側で暗号化された前記受信データを復号する復号手段をさらに含むこと
を特徴とする請求項１記載の端末装置。
【請求項６】
端末装置との間で１対１の接続が確立された第１の無線通信にて送信されてくる、処理の対象となる処理データを含む入力データを受信するデータ受信手段と、
前記入力データに処理を施す処理手段と、
前記第１の無線通信の接続が解除された後、前記処理データの処理に関連する処理情報を含む出力データを、前記端末装置との間で１対１で接続されない第２の無線通信にて送信するデータ送信手段と
を含む情報処理装置。
【請求項７】
前記データ受信手段は、前記処理データと当該処理データに付与された識別子とを含む前記入力データを受信し、
前記データ送信手段は、前記処理情報と前記識別子とを含む前記出力データを送信すること
を特徴とする請求項６記載の情報処理装置。
【請求項８】
前記データ送信手段は、暗号化された前記出力データを送信すること
を特徴とする請求項６記載の情報処理装置。
【請求項９】
前記入力データの前記処理データに基づいて印刷を行う印刷手段をさらに含み、
前記データ送信手段は、前記印刷手段による前記処理データの印刷結果を含む前記出力データを送信すること
を特徴とする請求項７または８記載の情報処理装置。
【請求項１０】
前記データ送信手段は、前記印刷結果の発生原因をさらに含む前記出力データを送信すること
を特徴とする請求項９記載の情報処理装置。
【請求項１１】
前記データ送信手段は、前記出力データの送信を開始してから予め定められた時間が経過すると、当該出力データの送信を停止すること
を特徴とする請求項６乃至１０のいずれか１項記載の情報処理装置。
【請求項１２】
１対１で接続される第１の無線通信にて第１データを送信する第１送信手段と、１対１で接続されない第２の無線通信にて第２データを受信する第１受信手段とを備えた第１通信装置と、
前記第１の無線通信にて前記第１データを受信する第２受信手段と、当該第１データに処理を施す処理手段と、前記第２の無線通信にて前記第２データを送信する第２送信手段とを備えた第２通信装置と
を含み、
前記第１送信手段は、前記第２受信手段との間に前記第１の無線通信による接続を確立し、当該第２受信手段に前記処理手段が処理する処理データを含む前記第１データを送信した後、当該第１の無線通信の接続を解除し、
前記第２送信手段は、前記第１の無線通信の接続が解除された後、前記処理手段による前記処理データの処理に関連する処理情報を含む前記第２データを、前記第２の無線通信にて送信すること
を特徴とする通信システム。
【請求項１３】
コンピュータに、
情報処理装置との間に第１の無線通信による１対１の接続を確立し、処理の対象となる処理データを含む送信データを送信した後、当該第１の無線通信の接続を解除するデータ送信機能と、
前記第１の無線通信の接続が解除された後、前記情報処理装置による前記処理データの処理に関連する処理情報を含む受信データを、当該情報処理装置との間で１対１で接続されない第２の無線通信にて受信するデータ受信機能と
を実現させるプログラム。
【請求項１４】
コンピュータに、
端末装置との間で１対１の接続が確立された第１の無線通信にて送信されてくる、処理の対象となる処理データを含む入力データを受信する受信機能と、
前記入力データに処理を施す処理機能と、
前記第１の無線通信の接続が解除された後、前記処理データの処理に関連する処理情報を含む出力データを、前記端末装置との間で１対１で接続されない第２の無線通信にて送信する送信機能と
を実現させるプログラム。
【発明の詳細な説明】
【技術分野】
【０００１】
本発明は、端末装置、情報処理装置、通信システム、プログラムに関する。
【背景技術】
【０００２】
特許文献１には、ＮＦＣ接続部およびＷｉ−Ｆｉ接続部を有する画像処理装置と、ＮＦＣ接続部およびＷｉ−Ｆｉ接続部を有する携帯端末とを備えた画像処理システムにおいて、携帯端末に保存されている印刷データを画像処理装置で印刷したい場合に、ＮＦＣによってＷｉ−Ｆｉ  Ｄｉｒｅｃｔに必要な接続情報を送受信し、この接続情報を用いてＷｉ−Ｆｉ接続部同士のＷｉ−Ｆｉ  Ｄｉｒｅｃｔによる接続を確立し、Ｗｉ−Ｆｉ  Ｄｉｒｅｃｔによって携帯端末から画像処理装置に印刷データを送信して画像処理装置が印刷データに基づく印刷を行い、印刷データの送信後にＷｉ−Ｆｉ接続部同士の接続を解除することが記載されている。
【先行技術文献】
【特許文献】
【０００３】
【特許文献１】特開２０１６−１９０４４号公報
【発明の概要】
【発明が解決しようとする課題】
【０００４】
ここで、２つの機器を無線通信で接続し、一方の機器から他方の機器にデータを送信した後、この無線通信を切断する構成を採用した場合、一方の機器は、他方の機器でのデータの処理状況を把握することができなくなってしまう。
本発明は、データの送信に用いた無線通信を切断した後であっても、受信側でのデータの処理状況を送信側で把握することを目的とする。
【課題を解決するための手段】
【０００５】
請求項１記載の発明は、情報処理装置との間に第１の無線通信による１対１の接続を確立し、処理の対象となる処理データを含む送信データを送信した後、当該第１の無線通信の接続を解除する送信手段と、前記第１の無線通信の接続が解除された後、前記情報処理装置による前記処理データの処理に関連する処理情報を含む受信データを、当該情報処理装置との間で１対１で接続されない第２の無線通信にて受信する受信手段とを含む端末装置である。
請求項２記載の発明は、前記送信手段は、前記情報処理装置との間に前記第１の無線通信の接続を確立する前に、既に他の情報処理装置との間に確立されていた当該第１の無線通信の接続を解除し、当該情報処理装置との間に確立された当該第１の無線通信の接続を解除した後に、当該情報処理装置との間に当該第１の無線通信の接続を再度確立することを特徴とする請求項１記載の端末装置である。
請求項３記載の発明は、前記第１の無線通信および前記第２の無線通信とは異なる第３の無線通信を行う送受信手段をさらに含み、前記送信手段は、前記送受信手段が前記第３の無線通信による、前記第１の無線通信の接続を確立するためのデータの通信が完了した後に、前記第１の無線通信の接続を確立することを特徴とする請求項２記載の端末装置である。
請求項４記載の発明は、前記送信手段は、前記処理データと当該処理データに付与された送信識別子とを含む前記送信データを送信し、前記受信手段は、前記処理情報と受信識別子とを含む前記受信データを受信し、前記送信識別子と前記受信識別子とが一致した前記処理情報を表示する表示手段をさらに含むことを特徴とする請求項１記載の端末装置である。
請求項５記載の発明は、前記情報処理装置側で暗号化された前記受信データを復号する復号手段をさらに含むことを特徴とする請求項１記載の端末装置である。
請求項６記載の発明は、端末装置との間で１対１の接続が確立された第１の無線通信にて送信されてくる、処理の対象となる処理データを含む入力データを受信するデータ受信手段と、前記入力データに処理を施す処理手段と、前記第１の無線通信の接続が解除された後、前記処理データの処理に関連する処理情報を含む出力データを、前記端末装置との間で１対１で接続されない第２の無線通信にて送信するデータ送信手段とを含む情報処理装置である。
請求項７記載の発明は、前記データ受信手段は、前記処理データと当該処理データに付与された識別子とを含む前記入力データを受信し、前記データ送信手段は、前記処理情報と前記識別子とを含む前記出力データを送信することを特徴とする請求項６記載の情報処理装置である。
請求項８記載の発明は、前記データ送信手段は、暗号化された前記出力データを送信することを特徴とする請求項６記載の情報処理装置である。
請求項９記載の発明は、前記入力データの前記処理データに基づいて印刷を行う印刷手段をさらに含み、前記データ送信手段は、前記印刷手段による前記処理データの印刷結果を含む前記出力データを送信することを特徴とする請求項７または８記載の情報処理装置である。
請求項１０記載の発明は、前記データ送信手段は、前記印刷結果の発生原因をさらに含む前記出力データを送信することを特徴とする請求項９記載の情報処理装置である。
請求項１１記載の発明は、前記データ送信手段は、前記出力データの送信を開始してから予め定められた時間が経過すると、当該出力データの送信を停止することを特徴とする請求項６乃至１０のいずれか１項記載の情報処理装置である。
請求項１２記載の発明は、１対１で接続される第１の無線通信にて第１データを送信する第１送信手段と、１対１で接続されない第２の無線通信にて第２データを受信する第１受信手段とを備えた第１通信装置と、前記第１の無線通信にて前記第１データを受信する第２受信手段と、当該第１データに処理を施す処理手段と、前記第２の無線通信にて前記第２データを送信する第２送信手段とを備えた第２通信装置とを含み、前記第１送信手段は、前記第２受信手段との間に前記第１の無線通信による接続を確立し、当該第２受信手段に前記処理手段が処理する処理データを含む前記第１データを送信した後、当該第１の無線通信の接続を解除し、前記第２送信手段は、前記第１の無線通信の接続が解除された後、前記処理手段による前記処理データの処理に関連する処理情報を含む前記第２データを、前記第２の無線通信にて送信することを特徴とする通信システムである。
請求項１３記載の発明は、コンピュータに、情報処理装置との間に第１の無線通信による１対１の接続を確立し、処理の対象となる処理データを含む送信データを送信した後、当該第１の無線通信の接続を解除するデータ送信機能と、前記第１の無線通信の接続が解除された後、前記情報処理装置による前記処理データの処理に関連する処理情報を含む受信データを、当該情報処理装置との間で１対１で接続されない第２の無線通信にて受信するデータ受信機能とを実現させるプログラムである。
請求項１４記載の発明は、コンピュータに、端末装置との間で１対１の接続が確立された第１の無線通信にて送信されてくる、処理の対象となる処理データを含む入力データを受信する受信機能と、前記入力データに処理を施す処理機能と、前記第１の無線通信の接続が解除された後、前記処理データの処理に関連する処理情報を含む出力データを、前記端末装置との間で１対１で接続されない第２の無線通信にて送信する送信機能とを実現させるプログラムである。
【発明の効果】
【０００６】
請求項１記載の発明によれば、データの送信に用いた無線通信を切断した後であっても、受信側でのデータの処理状況を送信側で把握することができる。
請求項２記載の発明によれば、データの送信前の無線通信の接続状態を、データの送信後に再現することができる。
請求項３記載の発明によれば、より容易に、データを送信するための接続状態を実現することができる。
請求項４記載の発明によれば、自機宛の処理情報だけを表示することができる。
請求項５記載の発明によれば、他機によって自機宛の処理情報の内容が明らかとされるのを抑制することができる。
請求項６記載の発明によれば、データの送信に用いた無線通信を切断した後であっても、受信側でのデータの処理状況を送信側で把握することができる。
請求項７記載の発明によれば、データの送信対象を明確にすることができる。
請求項８記載の発明によれば、送信対象ではない機器で処理情報の内容が明らかとされるのを抑制することができる。
請求項９記載の発明によれば、情報処理装置側で印刷が行えるとともに、その印刷結果を端末装置側に通知することが可能になる。
請求項１０記載の発明によれば、端末装置側で印刷結果の発生原因を把握することが可能になる。
請求項１１記載の発明によれば、データの送信が半永久的に続行されることを抑制することができる。
請求項１２記載の発明によれば、データの送信に用いた無線通信を切断した後であっても、受信側でのデータの処理状況を送信側で把握することができる。
請求項１３記載の発明によれば、データの送信に用いた無線通信を切断した後であっても、受信側でのデータの処理状況を送信側で把握することができる。
請求項１４記載の発明によれば、データの送信に用いた無線通信を切断した後であっても、受信側でのデータの処理状況を送信側で把握することができる。
【図面の簡単な説明】
【０００７】
【図１】本実施の形態が適用される印刷システムの全体構成例を示した図である。
【図２】印刷装置のハードウェア構成例を示した図である。
【図３】端末装置のハードウェア構成例を示した図である。
【図４】印刷装置および端末装置の機能構成例を示した図である。
【図５】（ａ）はジョブデータの内容を示した図であり、（ｂ）はステータスデータの内容を示した図である。
【図６】ステータスデータ格納テーブルの構成例を示した図である。
【図７】印刷システムにおける印刷処理の手順の一例を示したフローチャートである。
【図８】印刷システムにおける印刷処理の手順の一例を示したフローチャート（つづき）である。
【図９】（ａ）〜（ｊ）は、印刷処理の主要なステップにおける各装置の、無線による接続状態を説明するための模式図である。
【発明を実施するための形態】
【０００８】
以下、添付図面を参照して、本発明の実施の形態について詳細に説明する。
［印刷システムの全体構成］
図１は、本実施の形態が適用される印刷システム１の全体構成例を示した図である。
通信システムの一例としての印刷システム１は、用紙に画像を印刷する印刷装置１０と、印刷装置１０に印刷の指示等を行う端末装置２０とを備えている。この印刷システム１では、印刷装置１０と端末装置２０とが、無線による通信を行う。より具体的に説明すると、端末装置２０は、無線を用いて印刷の指示の出力を行い、印刷の指示を受け取った印刷装置１０は、無線を用いて印刷に関連する情報（印刷結果等）の出力を行う。
【０００９】
また、端末装置２０は、印刷装置１０だけでなく、例えば印刷装置１０の周辺に設けられた無線基地局装置２とも、無線による通信を行うことが可能となっている。この例において、他の情報処理装置の一例としての無線基地局装置２は、ケーブル３を介してインターネット４に接続されている。
【００１０】
情報処理装置あるいは第２通信装置の一例としての印刷装置１０は、ＮＦＣ（Near Field Communication）、Ｗｉ−Ｆｉ（登録商標）およびＢＬＥ（Bluetooth（登録商標） Low Energy）のそれぞれによる無線通信を行う。また、第１通信装置の一例としての端末装置２０も、ＮＦＣ、Ｗｉ−ＦｉおよびＢＬＥのそれぞれによる無線通信を行う。これに対し、無線基地局装置２は、Ｗｉ−Ｆｉによる無線通信のみを行う。
【００１１】
ＮＦＣは、近接場型の無線通信の一種であり、通信距離が例えば１０ｃｍ程度に限定されているものである。
【００１２】
Ｗｉ−Ｆｉは、ＩＥＥＥ８０２．１１で規定される無線ＬＡＮ（Local Area Network）のうち、Ｗｉ−Ｆｉ  ＡｌｌｉａｎｃｅによりＷｉ−Ｆｉ  ＣＥＲＴＩＦＩＥＤのロゴが付与されているものである。Ｗｉ−Ｆｉは、上記ＮＦＣよりも通信速度が高速であって通信距離が長い。
【００１３】
ＢＬＥは、Ｂｌｕｔｏｏｔｈのバージョン４．０の呼称である。ＢＬＥは、上記ＮＦＣよりも通信速度が高速であって通信距離が長く、且つ、上記Ｗｉ−Ｆｉよりも通信の実用距離が短い。
【００１４】
端末装置２０と印刷装置１０とは、ＮＦＣ、Ｗｉ−ＦｉおよびＢＬＥのそれぞれを用いた無線通信が行える。また、端末装置２０と無線基地局装置２とは、Ｗｉ−Ｆｉを用いた無線通信が行える。ただし、Ｗｉ−Ｆｉを用いた場合、端末装置２０は、無線基地局装置２および印刷装置１０のうちの一方とだけ、選択的に無線通信を行うことができる。すなわち、端末装置２０と無線基地局装置２とをＷｉ−Ｆｉで接続している状態で、さらに端末装置２０と印刷装置１０とをＷｉ−Ｆｉで接続することはできない。また、端末装置２０と印刷装置１０とをＷｉ−Ｆｉで接続している状態で、さらに端末装置２０と無線基地局装置２とをＷｉ−Ｆｉで接続することはできない。
【００１５】
端末装置２０と無線基地局装置２とがＷｉ−Ｆｉで接続されているとき、端末装置２０は、無線基地局装置２およびケーブル３を介して、インターネット４にアクセスすることができる。一方、端末装置２０と印刷装置１０とがＷｉ−Ｆｉで接続されているとき、端末装置２０は、インターネット４にアクセスすることができない。
【００１６】
印刷装置１０は、無線基地局（ワイヤレスアクセスポイント）を別途設けることなく、Ｗｉ−Ｆｉ対応機器とＷｉ−Ｆｉによる接続を行うことが可能なＷｉ−Ｆｉ  Ｄｉｒｅｃｔに対応している。一方、端末装置２０は、Ｗｉ−Ｆｉ  Ｄｉｒｅｃｔに対応していてもしていなくてもよいが、この例では、Ｗｉ−Ｆｉ  Ｄｉｒｅｃｔに対応していないものとする。印刷装置１０と端末装置２０とが、Ｗｉ−Ｆｉ  Ｄｉｒｅｃｔで接続される場合、印刷装置１０がグループオーナーとなり、端末装置２０がクライアントとなる。
【００１７】
また、印刷装置１０および端末装置２０は、ＢＬＥに規定されるブロードキャストに対応している。印刷装置１０と端末装置２０とが、ＢＬＥで無線通信を行う場合、印刷装置１０がブロードキャスター（送信側）となり、端末装置２０がオブザーバー（受信側）となる。
【００１８】
ここで、ＮＦＣおよびＷｉ−Ｆｉ（Ｗｉ−Ｆｉ  Ｄｉｒｅｃｔを含む）は、２つの機器との間に１対１の接続が確立された状態で、２つの機器間で相互にデータの送受信を行う。これに対し、ＢＬＥに規定されるブロードキャストは、２つの機器との間に１対１の接続が確立されていない状態で、一方の機器（ブロードキャスター）から他方の機器（オブザーバー）に、一方的にデータの送信を行う。
【００１９】
なお、図１には、印刷装置１０の周囲に端末装置２０が１台だけ存在する場合を例示しているが、２台以上の端末装置２０が存在していることもあり得る。ここで、本実施の形態においては、Ｗｉ−Ｆｉ  Ｄｉｒｅｃｔが第１の無線通信に、ＢＬＥが第２の無線通信に、ＮＦＣが第３の無線通信に、それぞれ対応している。
【００２０】
［印刷装置のハードウェア構成］
図２は、印刷装置１０のハードウェア構成例を示した図である。
印刷装置１０は、ＣＰＵ（Central Processing Unit）１０１と、ＲＡＭ（Random Access Memory）１０２と、ＲＯＭ（Read Only Memory）１０３と、ＨＤＤ（Hard Disk Drive）１０４と、ＵＩ（User Interface）１０５と、画像形成ユニット１０６と、ＮＦＣ  Ｉ／Ｆ（Interface）１１１と、Ｗｉ−Ｆｉ  Ｉ／Ｆ１１２と、ＢＬＥ  Ｉ／Ｆ１１３とを備えている。そして、これら各部は、相互に接続されるバスを介してデータの授受を行う。
【００２１】
ＣＰＵ１０１は、ＯＳ（Operating System）やアプリケーション等の各種ソフトウェアを実行する。ＲＡＭ１０２は、ＣＰＵ１０１の作業用メモリ等として用いられるメモリである。ＲＯＭ１０３は、ＣＰＵ１０１が実行する各種プログラム等を記憶するメモリである。そして、ＣＰＵ１０１は、ＲＯＭ１０３等に記憶された各種プログラムをＲＡＭ１０２にロードして実行することにより、印刷装置１０の各機能を実現する。
ＨＤＤ１０４は、画像形成ユニット１０６における画像形成動作（印刷動作）で用いる印刷データ等を記憶する、例えば磁気ディスク装置である。
【００２２】
ここで、ＣＰＵ１０１が実行するプログラムは、予めＲＯＭ１０３に記憶させておく形態のほか、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、例えばインターネット４から無線基地局装置２等を介してＣＰＵ１０１に提供してもよい。
【００２３】
ＵＩ１０５は、例えば各種情報の表示やユーザからの操作入力の受付を行うタッチパネルである。ただし、タッチパネルに代えてあるいは加えて、ディスプレイやキーボード等を用いても良い。
【００２４】
画像形成ユニット１０６は、用紙等に画像を形成（印刷）するものである。ここで、画像形成ユニット１０６は、例えばプリンタであり、感光体に付着させたトナーを用紙に転写して像を形成する電子写真方式や、インクを用紙上に吐出して像を形成するインクジェット方式を採用してよい。
【００２５】
ＮＦＣＩ／Ｆ１１１は、端末装置２０との間でＮＦＣによる無線通信を行うためのアンテナを含み、端末装置２０との間で各種データの送受信を行う通信インタフェースとして機能する。
Ｗｉ−Ｆｉ  Ｉ／Ｆ１１２は、端末装置２０との間でＷｉ−Ｆｉ  Ｄｉｒｅｃｔによる無線通信を行うためのアンテナを含み、端末装置２０との間で各種データの送受信を行う通信インタフェースとして機能する。
ＢＬＥ  Ｉ／Ｆ１１３は、端末装置２０との間でＢＬＥによる無線通信を行うためのアンテナを含み、端末装置２０に向けて各種データの送信を行う通信インタフェースとして機能する。
【００２６】
［端末装置のハードウェア構成］
図３は、端末装置２０のハードウェア構成例を示した図である。
端末装置２０は、ＣＰＵ２０１と、メモリ２０２と、操作パネル２０３と、ＮＦＣ  Ｉ／Ｆ２１１と、Ｗｉ−Ｆｉ  Ｉ／Ｆ２１２と、ＢＬＥ  Ｉ／Ｆ２１３とを備えている。そして、これら各部は、相互に接続されるバスを介してデータの授受を行う。
【００２７】
ＣＰＵ２０１は、ＯＳやアプリケーション等の各種ソフトウェアを実行する。メモリ２０２は、各種ソフトウェアやその実行に用いるデータ等を記憶する記憶領域を有する。そして、ＣＰＵ２０１は、メモリ２０２等に記憶された各種プログラムを実行することにより、端末装置２０の各機能を実現する。
ここで、ＣＰＵ２０１が実行するプログラムは、予めメモリ２０２に記憶させておく形態のほか、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、例えばインターネット４から無線基地局装置２等を介してＣＰＵ２０１に提供してもよい。
【００２８】
操作パネル２０３は、例えばタッチパネルである。そのため、操作パネル２０３は、液晶パネルを備えるとともに、液晶パネルに人の指、スタイラスペンに代表される接触物が接触したときに、接触物が液晶パネルに接触した位置を検知する位置検知部（図示せず）を備えている。
【００２９】
ＮＦＣ  Ｉ／Ｆ２１１は、印刷装置１０との間でＮＦＣによる無線通信を行うためのアンテナを含み、印刷装置１０との間で各種データの送受信を行う通信インタフェースとして機能する。
Ｗｉ−Ｆｉ  Ｉ／Ｆ２１２は、印刷装置１０との間でＷｉ−Ｆｉ  Ｄｉｒｅｃｔによる無線通信を行うとともに、無線基地局装置２との間でＷｉ−Ｆｉによる無線通信を行うためのアンテナを含み、印刷装置１０あるいは無線基地局装置２との間で各種データの送受信を行う通信インタフェースとして機能する。
ＢＬＥ  Ｉ／Ｆ２１３は、印刷装置１０との間でＢＬＥによる無線通信を行うためのアンテナを含み、印刷装置１０から各種データの受信を行う通信インタフェースとして機能する。
【００３０】
［印刷装置および端末装置の機能構成］
図４は、印刷装置１０および端末装置２０の機能構成例を示した図である。なお、ここでは、印刷装置１０および端末装置２０が有する種々の機能のうち、本実施の形態に関係するものを選択して図示している。
【００３１】
［印刷装置の機能構成］
最初に、印刷装置１０の機能構成を説明する。
印刷装置１０は、ＮＦＣ接続部１１と、Ｗｉ−Ｆｉ接続部１２と、ＢＬＥ送信部１３と、印刷装置側制御部１４と、記憶部１５と、画像形成部１６とを有している。
【００３２】
ＮＦＣ接続部１１は、印刷装置１０側でＮＦＣによる無線通信（ユニキャストによる送受信）を行うための機能部である。ＮＦＣ接続部１１は、図２に示すＮＦＣ  Ｉ／Ｆ１１１に対応する。本実施の形態のＮＦＣ接続部１１は、Ｗｉ−Ｆｉ接続部１２による無線通信（Ｗｉ−Ｆｉ）を新たに行おうとする端末装置２０（接続要求端末装置）との間で、Ｗｉ−Ｆｉ接続部１２とのＷｉ−Ｆｉ  ＤｉｒｅｃｔによるＷｉ−Ｆｉ接続を確立するために予め設定された接続条件に関する情報の送受信を、無線通信（ＮＦＣ）にて行う機能を有する。接続条件に関して、印刷装置１０から送られる情報としては、例えば印刷装置１０のＭＡＣアドレス（Media Access Control address）やＳＳＩＤ（Service Set Identifier）などが挙げられる。
【００３３】
Ｗｉ−Ｆｉ接続部１２は、印刷装置１０側でＷｉ−Ｆｉによる無線通信（ユニキャストによる送受信）を行うための機能部である。Ｗｉ−Ｆｉ接続部１２は、図２に示すＷｉ−Ｆｉ  Ｉ／Ｆ１１２に対応する。本実施の形態のＷｉ−Ｆｉ接続部１２は、端末装置２０（接続要求端末装置）との間で、Ｗｉ−Ｆｉ  ＤｉｒｅｃｔによるＷｉ−Ｆｉ接続を行う。
【００３４】
ＢＬＥ送信部１３は、印刷装置１０側でＢＬＥによる無線通信（ブロードキャストによる送信）を行うための機能部である。ＢＬＥ送信部１３は、図２に示すＢＬＥ  Ｉ／Ｆ１１３に対応する。
【００３５】
印刷装置側制御部１４は、ＮＦＣ接続部１１、Ｗｉ−Ｆｉ接続部１２、ＢＬＥ送信部１３および画像形成部１６の制御を行う。印刷装置側制御部１４は、図２に示すＣＰＵ１０１、ＲＡＭ１０２、ＲＯＭ１０３およびＨＤＤ１０４に対応する。
【００３６】
記憶部１５は、印刷装置１０で用いられる各種データを記憶する。記憶部１５は、図２に示すＲＡＭ１０２、ＲＯＭ１０３およびＨＤＤ１０４に対応する。
【００３７】
画像形成部１６は、画像形成（印刷）を行うための機能部である。画像形成部１６は、図２に示す画像形成ユニット１０６に対応する。
【００３８】
本実施の形態では、画像形成部１６で画像形成（印刷）を行う際に使用される、画像情報を含む印刷指示（ジョブデータ）を、ＮＦＣ接続部１１ではなく、Ｗｉ−Ｆｉ接続部１２が受信する。これは、一般にＮＦＣよりもＷｉ−Ｆｉの通信速度が高速であり、ジョブデータのようにデータ量が大きくなりやすいものについては、ＮＦＣではなくＷｉ−Ｆｉ  Ｄｉｒｅｃｔを利用した方が、ジョブデータの受け渡しをより短時間にできるためである。
【００３９】
また、本実施の形態では、印刷装置１０におけるジョブデータの処理結果（ここでは、画像形成部１６による画像形成結果（印刷結果））を含むステータスデータを、ＮＦＣ接続部１１およびＷｉ−Ｆｉ接続部１２ではなく、ＢＬＥ送信部１３が送信する。これは、印刷装置１０においてジョブデータの処理が行われている状態では、すでにＮＦＣ接続部１１によるＮＦＣ接続およびＷｉ−Ｆｉ接続部１２によるＷｉ−Ｆｉ接続が解除されているためなのであるが、この詳細については後述する。
【００４０】
ここで、本実施の形態では、Ｗｉ−Ｆｉ接続部１２がデータ受信手段あるいは第２受信手段の一例として、ＢＬＥ送信部１３がデータ送信手段あるいは第２送信手段の一例として、印刷装置側制御部１４および画像形成部１６が処理手段の一例として、画像形成部１６が印刷手段の一例として、それぞれ機能している。
【００４１】
［端末装置の機能構成］
続いて、端末装置２０の機能構成を説明する。
端末装置２０は、ＮＦＣ接続部２１と、Ｗｉ−Ｆｉ接続部２２と、ＢＬＥ受信部２３と、端末装置側制御部２４と、記憶部２５と、入出力部２６とを有している。
【００４２】
ＮＦＣ接続部２１は、端末装置２０側でＮＦＣによる無線通信（ユニキャストによる送受信）を行うための機能部である。ＮＦＣ接続部２１は、図３に示すＮＦＣ  Ｉ／Ｆ２１１に対応する。本実施の形態のＮＦＣ接続部２１は、予め設定された接続条件でＷｉ−Ｆｉ接続部２２と印刷装置１０とのＷｉ−Ｆｉ  ＤｉｒｅｃｔによるＷｉ−Ｆｉ接続を確立するための接続条件に関する情報の送受信を、無線通信（ＮＦＣ）にて行う機能を有する。接続条件に関して、端末装置２０側から送られる情報としては、例えば端末装置２０のＭＡＣアドレスやシリアル番号などが挙げられる。
【００４３】
Ｗｉ−Ｆｉ接続部２２は、端末装置２０側でＷｉ−Ｆｉによる無線通信（ユニキャストによる送受信）を行うための機能部である。Ｗｉ−Ｆｉ接続部２２は、図３に示すＷｉ−Ｆｉ  Ｉ／Ｆ２１２に対応する。本実施の形態のＷｉ−Ｆｉ接続部２２は、印刷装置１０（Ｗｉ−Ｆｉ接続部１２）とはＷｉ−Ｆｉ  ＤｉｒｅｃｔによるＷｉ−Ｆｉ接続を行い、無線基地局装置２とは通常のＷｉ−Ｆｉ接続を行う。
【００４４】
ＢＬＥ受信部２３は、端末装置２０側でＢＬＥによる無線通信（ブロードキャストによる受信）を行うための機能部である。ＢＬＥ受信部２３は、図３に示すＢＬＥ  Ｉ／Ｆ２１３に対応する。
【００４５】
端末装置側制御部２４は、ＮＦＣ接続部２１、Ｗｉ−Ｆｉ接続部２２、ＢＬＥ受信部２３および入出力部２６の制御を行う。端末装置側制御部２４は、図３に示すＣＰＵ２０１およびメモリ２０２に対応する。
【００４６】
記憶部２５は、端末装置２０で用いられる各種データを記憶する。記憶部２５は、図３に示すメモリ２０２に対応する。
【００４７】
入出力部２６は、端末装置２０の使用者（ユーザ）による操作入力を受け付けるとともに、端末装置側制御部２４が作成した画像データに基づく画像の出力（表示）を行う。入出力部２６は、図３に示す操作パネル２０３に対応する。
【００４８】
ここで、本実施の形態では、ＮＦＣ接続部２１が送受信手段の一例として、Ｗｉ−Ｆｉ接続部２２が送信手段あるいは第１送信手段の一例として、ＢＬＥ受信部２３が受信手段あるいは第１受信手段の一例として、入出力部２６が表示手段の一例として、それぞれ機能している。
【００４９】
［ジョブデータの構成］
次に、端末装置２０から印刷装置１０にＷｉ−Ｆｉを用いて送信されるジョブデータについて説明を行う。
図５（ａ）は、ジョブデータ６０の内容を示した図である。このジョブデータ６０は、端末装置２０に設けられた端末装置側制御部２４が作成する。
ジョブデータ６０は、画像情報および印刷設定に関する制御命令を含む印刷データ６１と、このジョブデータ６０（印刷データ６１）の識別用に付与されたジョブ識別子６２とを有している。ここで、ジョブ識別子６２は、ジョブ毎に異なるものであってもよいし、端末装置２０毎に異なるものであってもよいが、ここでは、端末装置２０毎に異なる端末装置２０のＭＡＣアドレスを、ジョブ識別子６２として用いている。
なお、本実施の形態では、ジョブデータ６０が送信データ、入力データあるいは第１データの一例として、印刷データ６１が処理データの一例として、ジョブ識別子６２が送信識別子の一例として、それぞれ機能している。
【００５０】
［ステータスデータの構成］
続いて、印刷装置１０からＢＬＥを用いて送信されるステータスデータについて説明を行う。
図５（ｂ）は、ステータスデータ７０の内容を示した図である。このステータスデータ７０は、印刷装置１０に設けられた印刷装置側制御部１４が作成する。
このステータスデータ７０は、ジョブデータ６０における印刷データ６１の印刷状態を含む印刷状態通知データ７１と、この印刷データ６１に付与されていたジョブ識別子６２と同じジョブ識別子７２と、このステータスデータ７０（印刷状態通知データ７１）の識別用に付与されたステータス識別子７３とを有している。ここで、ステータス識別子７３は、ジョブ毎に異なるものであってもよいし、印刷装置１０毎に異なるものであってもよいが、ここでは、印刷装置１０毎に異なる印刷装置１０のＭＡＣアドレスを、ステータス識別子７３として用いている。
なお、本実施の形態では、ステータスデータ７０が受信データ、出力データあるいは第２データの一例として、印刷状態通知データ７１が処理情報の一例として、ジョブ識別子７２が受信識別子の一例として、それぞれ機能している。
【００５１】
［ステータスデータ格納テーブルの構成］
図６は、ステータスデータ格納テーブルの構成例を示した図である。このステータスデータ格納テーブルは、印刷装置側制御部１４が作成し、記憶部１５が記憶する。
ステータスデータ格納テーブルは、上述したステータスデータ７０と、各ステータスデータ７０の元となるジョブデータ６０の処理（ここでは、ジョブデータ６０に含まれる印刷データ６１に基づく、画像形成部１６による画像形成処理（印刷処理））を実行した時刻である出力時刻とを対応付けたものとなっている。
【００５２】
図６に示すステータスデータ格納テーブルには、出力時刻順に３つのステータスデータ７０が登録されている。
１つ目のステータスデータ７０は、ステータス識別子７３が「ＺＺＺＺＺ」（印刷装置１０のＭＡＣアドレス）、ジョブ識別子７２が「ＡＡＡＡＡ」（１台目の端末装置２０のＭＡＣアドレス）、印刷状態通知データ７１が「出力成功」、となっており、その出力時刻は「１３：２０：４５」である。２つ目のステータスデータ７０は、ステータス識別子７３が「ＺＺＺＺＺ」（印刷装置１０のＭＡＣアドレス）、ジョブ識別子７２が「ＢＢＢＢＢ」（２台目の端末装置２０のＭＡＣアドレス）、印刷状態通知データ７１が「出力成功」、となっており、その出力時刻は「１３：２１：２２」である。３つ目のステータスデータ７０は、ステータス識別子７３が「ＺＺＺＺＺ」（印刷装置１０のＭＡＣアドレス）、ジョブ識別子７２が「ＣＣＣＣＣ」（３台目の端末装置２０のＭＡＣアドレス）、印刷状態通知データ７１が「出力失敗」、となっており、その出力時刻は「１３：２３：１０」である。また、印刷状態通知データ７１が「出力失敗」となっている３つ目のステータスデータ７０には、その失敗原因が「用紙切れ」であることがさらに対応付けられている。なお、失敗原因としては、「用紙切れ」の他に、「トナー切れ」や「紙詰まり」などが挙げられる。
【００５３】
そして、印刷装置側制御部１４は、新たに受信したジョブデータ６０に基づき、画像形成部１６を用いて印刷処理を実行する毎に、このジョブデータ６０に対応するステータスデータ７０を作成し、その出力時刻と対応付けてステータスデータ格納テーブルに登録する。また、印刷装置側制御部１４は、ステータスデータ格納テーブルに登録された各ステータスデータ７０の出力時刻と、現在時刻とを比較し、予め定められた設定時間（例えば１０分）を経過したステータスデータ７０については、ステータスデータ格納テーブルから消去する。このような処理を繰り返し行うことで、本実施の形態のステータスデータ格納テーブルは、逐次更新されていくことになる。
【００５４】
［印刷処理システムの処理手順］
続いて、印刷装置１０および端末装置２０を含む印刷システム１の動作について説明を行う。なお、ここでは、印刷システム１を構成する端末装置２０と、印刷システム１を構成しない無線基地局装置２との関係も含めて、動作の説明を行う。
【００５５】
図７および図８は、印刷システム１における印刷処理の手順の一例を示したフローチャートである。図７および図８において、図中左側は端末装置２０の動作を示しており、図中右側は印刷装置１０の動作を示している。また、図９（ａ）〜（ｊ）は、図７および図８に示す印刷処理の主要なステップにおける各装置（印刷装置１０、端末装置２０、無線基地局装置２）の、無線による接続状態を説明するための模式図である。なお、図９においては、通常の手法によるＷｉ−Ｆｉ接続を「Ｗｉ−Ｆｉ」と表記し、Ｗｉ−Ｆｉ  ＤｉｒｅｃｔによるＷｉ−Ｆｉ接続を、「Ｗｉ−Ｆｉ（Ｄ）」と表記している。
【００５６】
この例では、初期状態において、端末装置２０と無線基地局装置２との間に、Ｗｉ−Ｆｉ接続が確立されている（ステップ２００）。
【００５７】
このとき、図９（ａ）に示すように、無線基地局装置２とＷｉ−Ｆｉ接続された端末装置２０は、無線基地局装置２およびケーブル３を介して、インターネット４にアクセスできる状態となっている。また、このとき、端末装置２０は、印刷装置１０と、ＮＦＣおよびＷｉ−Ｆｉのいずれによっても接続されない状態となっている。さらに、このとき、端末装置２０は、ＢＬＥによる電波を受信し得る状態となっている。
【００５８】
端末装置２０の使用者が、端末装置２０に保存されている印刷データ６１を印刷装置１０で印刷したい場合、使用者は、端末装置２０とともに印刷装置１０が設置されている場所まで移動し、端末装置２０を、印刷装置１０のＮＦＣ接続部１１上に置く（タッチする）。これにより、端末装置２０のＮＦＣ接続部２１と印刷装置１０のＮＦＣ接続部１１とがＮＦＣ接続される。すなわち、端末装置２０がＮＦＣ接続を確立する（ステップ２０１）とともに、印刷装置１０がＮＦＣ接続を確立する（ステップ１０１）。
【００５９】
このとき、図９（ｂ）に示すように、端末装置２０は、無線基地局装置２とＷｉ−Ｆｉ接続される状態を維持する。また、このとき、端末装置２０は、印刷装置１０と新たにＮＦＣ接続されるが、Ｗｉ−Ｆｉ接続されない状態を維持する。さらに、このとき、端末装置２０は、ＢＬＥによる電波を受信し得る状態を維持する。
【００６０】
このようにしてＮＦＣ接続が確立されると、端末装置２０では、ＮＦＣ接続部２１が、印刷装置１０とＷｉ−Ｆｉ  ＤｉｒｅｃｔによるＷｉ−Ｆｉ接続を確立するための接続条件に関する情報の要求（接続要求と称する）を、ＮＦＣで送信する（ステップ２０２）。これに対し、印刷装置１０では、ＮＦＣ接続部１１が、この接続要求をＮＦＣで受信する（ステップ１０２）。
【００６１】
続いて、印刷装置１０では、ＮＦＣ接続部１１が、端末装置２０とＷｉ−Ｆｉ  ＤｉｒｅｃｔによるＷｉ−Ｆｉ接続を確立するための接続条件に関する情報（接続応答と称する）を、ＮＦＣで送信する（ステップ１０３）。これに対し、端末装置２０では、ＮＦＣ接続部２１が、この接続応答をＮＦＣで受信する（ステップ２０３）。
【００６２】
ステップ２０３における接続応答の受信が完了すると、端末装置２０のＮＦＣ接続部２１と印刷装置１０のＮＦＣ接続部１１とのＮＦＣ接続が解除される。すなわち、端末装置２０がＮＦＣ接続を解除する（ステップ２０４）とともに、印刷装置１０がＮＦＣ接続を解除する（ステップ１０４）。
【００６３】
このとき、図９（ｃ）に示すように、端末装置２０は、無線基地局装置２とＷｉ−Ｆｉ接続される状態を維持する。また、このとき、端末装置２０は、印刷装置１０とＮＦＣ接続されない状態に移行するが、Ｗｉ−Ｆｉ接続されない状態を維持する。さらに、このとき、端末装置２０は、ＢＬＥによる電波を受信し得る状態を維持する。
【００６４】
次に、端末装置２０では、端末装置側制御部２４が、ステップ２０３で受信した接続応答に基づき、Ｗｉ−Ｆｉ  Ｄｉｒｅｃｔの接続先（ここでは印刷装置１０のＷｉ−Ｆｉ接続部１２）を特定する（ステップ２０５）。続いて、端末装置２０では、端末装置側制御部２４が、この時点でＷｉ−Ｆｉ接続を行っている無線基地局装置２との接続条件に関する情報（基地局接続情報と称する）を、記憶部２５に書き込む（ステップ２０６）。その後、端末装置２０では、端末装置側制御部２４が、Ｗｉ−Ｆｉ接続部２２を介して確立された、無線基地局装置２とのＷｉ−Ｆｉ接続を解除する（ステップ２０７）。
【００６５】
このとき、図９（ｄ）に示すように、端末装置２０は、無線基地局装置２とＷｉ−Ｆｉ接続されない状態に移行する。また、このとき、端末装置２０は、印刷装置１０とＷｉ−Ｆｉ接続されない状態を維持する。さらに、このとき、端末装置２０は、ＢＬＥによる電波を受信し得る状態を維持する。この状態へと移行することで、端末装置２０は、無線基地局装置２およびケーブル３を介したインターネット４へのアクセスができなくなる。
【００６６】
続いて、端末装置２０では、端末装置側制御部２４が、ステップ２０４で特定した接続先に基づき、端末装置２０のＷｉ−Ｆｉ接続部２２を、印刷装置１０のＷｉ−Ｆｉ接続部１２に接続する。すなわち、端末装置２０がＷｉ−Ｆｉ  ＤｉｒｅｃｔによるＷｉ−Ｆｉ接続を確立する（ステップ２０８）とともに、印刷装置１０がＷｉ−Ｆｉ  ＤｉｒｅｃｔによるＷｉ−Ｆｉ接続を確立する（ステップ１０５）。
【００６７】
このとき、図９（ｅ）に示すように、端末装置２０は、無線基地局装置２とＷｉ−Ｆｉ接続されない状態を維持する。また、このとき、端末装置２０は、印刷装置１０とＷｉ−Ｆｉ接続された状態に移行する。さらに、このとき、端末装置２０は、ＢＬＥによる電波を受信し得る状態を維持する。
【００６８】
それから、端末装置２０では、端末装置側制御部２４が、印刷装置１０での印刷に使用されるジョブデータ６０（印刷データ６１およびジョブ識別子６２）の作成を行い（ステップ２０９）、作成したジョブデータ６０を、Ｗｉ−Ｆｉで送信する（ステップ２１０）。その後、印刷装置１０では、Ｗｉ−Ｆｉ接続部１２が、このジョブデータ６０をＷｉ−Ｆｉで受信し（ステップ１０６）、印刷装置側制御部１４が、このジョブデータ６０に基づくジョブ（印刷処理）を、画像形成部１６に実行させる（ステップ１０７）。
【００６９】
この間、図９（ｆ）に示すように、端末装置２０は、無線基地局装置２とＷｉ−Ｆｉ接続されない状態を維持する。また、このとき、端末装置２０は、印刷装置１０とＷｉ−Ｆｉ接続される状態を維持する。さらに、このとき、印刷装置１０は、ＢＬＥによる電波を受信し得る状態を維持する。そして、この状態で、端末装置２０から、ジョブデータ６０がＷｉ−Ｆｉによって送信されることとなる。
【００７０】
そして、端末装置２０では、端末装置側制御部２４が、印刷装置１０へのジョブデータ６０の送信が完了したことをトリガとして、Ｗｉ−Ｆｉ  ＤｉｒｅｃｔによるＷｉ−Ｆｉ接続を解除する。すなわち、端末装置２０がＷｉ−Ｆｉ  ＤｉｒｅｃｔによるＷｉ−Ｆｉ接続を解除する（ステップ２１１）とともに、印刷装置１０がＷｉ−Ｆｉ  ＤｉｒｅｃｔによるＷｉ−Ｆｉ接続を解除する（ステップ１０８）。
【００７１】
このとき、図９（ｇ）に示すように、端末装置２０は、無線基地局装置２とＷｉ−Ｆｉ接続されない状態を維持する。また、このとき、端末装置２０は、印刷装置１０とＷｉ−Ｆｉ接続されない状態に移行する。さらに、このとき、端末装置２０は、ＢＬＥによる電波を受信し得る状態を維持する。
【００７２】
Ｗｉ−Ｆｉ接続が解除された端末装置２０では、端末装置側制御部２４が、記憶部２５から、ステップ２０５で書き込んだ基地局接続情報を読み出す（ステップ２１２）。そして、端末装置側制御部２４は、読み出した基地局接続情報に基づき、端末装置２０のＷｉ−Ｆｉ接続部２２と無線基地局装置２とのＷｉ−Ｆｉ接続を再確立させる（ステップ２１３）。なお、この状態において、端末装置２０は、ＢＬＥによるステータスデータ７０の監視（受信）を続行している（ステップ２１４）。
【００７３】
このとき、図９（ｈ）に示すように、端末装置２０は、無線基地局装置２とＷｉ−Ｆｉ接続された状態に移行する。また、このとき、端末装置２０は、印刷装置１０とＷｉ−Ｆｉ接続されない状態を維持する。さらに、このとき、端末装置２０は、ＢＬＥによる電波を受信し得る状態を維持する。この状態へと移行することで、端末装置２０は、無線基地局装置２およびケーブル３を介したインターネット４へのアクセスが、再度できるようになる。
【００７４】
一方、Ｗｉ−Ｆｉ接続が解除された印刷装置１０では、印刷装置側制御部１４が、ステップ１０６で実行したジョブの実行結果に関するステータスデータ７０を作成し（ステップ１０９）、作成した新たなステータスデータ７０を、出力時刻とともにステータスデータ格納テーブル（図６参照）に登録する。続いて、印刷装置１０では、印刷装置側制御部１４が、ステータスデータ格納テーブルに登録されているステータスデータ７０を、ＢＬＥ送信部１３を介してＢＬＥでブロードキャスト送信する（ステップ１１０）。
【００７５】
このとき、図９（ｉ）に示すように、端末装置２０は、無線基地局装置２とＷｉ−Ｆｉ接続された状態を維持する。また、このとき、端末装置２０は、印刷装置１０と、ＮＦＣおよびＷｉ−Ｆｉのいずれによっても接続されない状態を維持する。さらに、このとき、端末装置２０は、ＢＬＥによる電波を受信し得る状態を維持する。そして、この状態で、印刷装置１０から、ステータスデータ７０がＢＬＥによって送信されることとなる。
【００７６】
そして、印刷装置１０では、ステータスデータ格納テーブルに登録されたステータスデータ７０に対応付けられた出力時刻と現在時刻とを比較し、予め定められた設定時間（例えば１０分）を経過しているか否かを判断する（ステップ１１１）。ステップ１１１で否定の判断（ＮＯ）を行った場合は、ステップ１１０に戻ってＢＬＥによるステータスデータ７０のブロードキャスト送信を続行する。一方、ステップ１１１で肯定の判断（ＹＥＳ）を行った場合は、ステータスデータ格納テーブルからこのステータスデータ７０を消去することで、このステータスデータ７０の送信を終了し（ステップ１１２）、印刷装置１０での処理を完了する。
【００７７】
一方、端末装置２０では、端末装置側制御部２４が、ＢＬＥ受信部２３を介して、ＢＬＥでステータスデータ７０を受信したか否かを判断する（ステップ２１５）。ステップ２１５で否定の判断（ＮＯ）を行った場合は、ステップ２１５に戻って処理を続行する。
【００７８】
これに対し、ステップ２１５で肯定の判断（ＹＥＳ）を行った場合、端末装置側制御部２４は、受信したステータスデータ７０のジョブ識別子７２を参照し、このジョブ識別子７２が自機で付与したジョブ識別子６２（自機のＭＡＣアドレス）と一致するか否か（このジョブ識別子７２が自機で付与したものか否か）を判断する（ステップ２１６）。ステップ２１６で否定の判断（ＮＯ）を行った場合は、ステップ２１５に戻って処理を続行する。
【００７９】
これに対し、ステップ２１６で肯定の判断（ＹＥＳ）を行った場合、端末装置側制御部２４は、このステータスデータ７０から抽出した印刷状態通知データ７１を、入出力部２６（操作パネル２０３）に表示させ（ステップ２１７）、端末装置２０での処理を完了する。
【００８０】
このとき、ステータスデータ７０が例えば図６の最上段に示すものであった場合、ジョブ識別子７２（ＭＡＣアドレス）が「ＡＡＡＡＡ」である端末装置２０には、図９（ｊ）の上段に示すように、「出力成功」を表すメッセージ（テキストやイメージ）が表示される。
また、ステータスデータ７０が図６の最下段に示すものであった場合、ジョブ識別子７２（ＭＡＣアドレス）が「ＣＣＣＣＣ」である端末装置２０には、図９（ｊ）の下段に示すように、「出力失敗」を表すメッセージが表示される。また、本実施の形態では、さらに、失敗原因（用紙切れ）のメッセージも表示されることになる。
【００８１】
一方、ステータスデータ７０が例えば図６の最上段から最下段に示すものであった場合、ジョブ識別子７２（ＭＡＣアドレス）が「ＤＤＤＤＤ」である端末装置２０には、いずれのメッセージも表示されないことになる。
【００８２】
［その他］
なお、本実施の形態では、ステータスデータ７０における印刷状態通知データ７１の印刷状態を「出力成功／出力失敗」の２状態としていたが、これに限られるものではない。例えば、「出力済み／出力中／出力待ち」の３状態としたり、これらを組み合わせたものとしたりしてもかまわない。
【００８３】
また、本実施の形態では、端末装置２０と印刷装置１０とをＷｉ−Ｆｉ  Ｄｉｒｅｃｔで接続するための前処理として、ＮＦＣ接続を用いた接続条件（接続要求および接続応答）の授受を行っていたが、これに限られるものではなく、他の手法を用いてもかまわない。
【００８４】
さらに、本実施の形態では、ステータスデータ７０を暗号化することなく送受信していたが、これに限られるものではなく、暗号化してもかまわない。暗号化については各種手法を用いてよいが、例えば、送信側すなわち印刷装置１０側で、ジョブ識別子７２を用いてステータスデータ７０を暗号化することが挙げられる。この場合は、受信側すなわち端末装置２０側にて、自身が既知のジョブ識別子７２（ＭＡＣアドレス）で復号できたものだけを、ステータスデータ７０から取り出せることになる。そして、この場合においては、端末装置側制御部２４が、復号手段として機能することになる。
【符号の説明】
【００８５】
１…印刷システム、２…無線基地局装置、３…ケーブル、４…インターネット、１０…印刷装置、１１…ＮＦＣ接続部、１２…Ｗｉ−Ｆｉ接続部、１３…ＢＬＥ送信部、１４…印刷装置側制御部、１５…記憶部、１６…画像形成部、２０…端末装置、２１…ＮＦＣ接続部、２２…Ｗｉ−Ｆｉ接続部、２３…ＢＬＥ受信部、２４…端末装置側制御部、２５…記憶部、２６…入出力部、６０…ジョブデータ、６１…印刷データ、６２…ジョブ識別子、７０…ステータスデータ、７１…印刷状態通知データ、７２…ジョブ識別子、７３…ステータス識別子
【図１】
2018067778.tif 000003
【図２】
2018067778.tif 000004
【図３】
2018067778.tif 000005
【図４】
2018067778.tif 000006
【図５】
2018067778.tif 000007
【図６】
2018067778.tif 000008
【図７】
2018067778.tif 000009
【図８】
2018067778.tif 000010
【図９】
2018067778.tif 000011